(57)【特許請求の範囲】
【請求項１】
少なくとも第一開口および第二開口を形成する枠体と、前記第一開口に配置される固定障子と、前記第二開口に開閉可能に配置される可動障子とを備えるカーテンウォールユニットであって、
前記可動障子は、框材および面材を框組みして構成され、
前記枠体は、枠本体と、前記枠本体の室外側に位置する押縁とを備え、
前記枠本体は、前記固定障子の室内面および前記可動障子の室内面に対向可能な対向見付け片部を有し、
前記押縁は、前記第一開口側に配置される場合には前記固定障子の室外面に当接する押え部材が装着され、前記第二開口側に配置される場合には前記可動障子の框材に当接するシール部材が装着される装着片部を有する
ことを特徴とするカーテンウォールユニット。
【請求項２】
請求項１に記載のカーテンウォールにおいて、
前記対向見付け片部は、前記固定障子の室内面に当接可能な室内当接部材が取り付けられる取付部と、前記可動障子の室内面に当接可能な当接部とを有し、
前記当接部は、前記取付部よりも前記第一開口または前記第二開口の内側に位置し、
前記第一開口側に配置される前記装着片部に対して前記押え部材が装着された状態では、前記押え部材は、前記枠体の見込み方向において前記取付部に対向して位置して前記固定障子を前記枠本体との間に保持し、
前記第二開口側に配置される前記装着片部に対して前記シール部材が装着された状態では、前記シール部材は、前記装着片部から前記可動障子側に延出して前記可動障子と前記枠体との隙間を埋めるとともに、前記枠体の見込み方向において前記当接部に対向して位置する
ことを特徴とするカーテンウォールユニット。
【請求項３】
請求項１または請求項２に記載のカーテンウォールユニットにおいて、
前記枠体は、上枠、下枠、無目および左右の縦枠を枠組みして構成され、
前記上枠、前記下枠、前記左右の縦枠は、前記枠本体と、前記装着片部を一つ有した前記押縁とをそれぞれ備えて構成され、
前記無目は、前記枠本体と、前記装着片部を二つ有した前記押縁とを備えて構成され、
前記無目の前記二つの装着片部のうちの一方の装着片部は、前記第一開口側に位置して前記押え部材が装着され、
前記無目の前記二つの装着片部のうちの他方の装着片部は、前記第二開口側に位置して前記シール部材が装着される
ことを特徴とするカーテンウォールユニット。
【請求項４】
請求項１または請求項２に記載のカーテンウォールユニットにおいて、
前記枠体は、上枠、下枠、縦中骨および左右の縦枠を枠組みして構成され、
前記上枠、前記下枠、前記左右の縦枠は、前記枠本体と、前記装着片部を一つ有した前記押縁とをそれぞれ備えて構成され、
前記縦中骨は、前記固定障子の室内面および前記可動障子の室外面に対向可能な本体部と、前記固定障子の室外面に当接する前記押え部材と前記可動障子の框材に当接する前記シール部材とを付け替え可能な二つの装着片部とを一体に有して形成され、
前記縦中骨の前記二つの装着片部のうちの一方の装着片部は、前記第一開口側に位置して前記押え部材が装着され、
前記縦中骨の前記二つの装着片部のうちの他方の装着片部は、前記第二開口側に位置して前記シール部材が装着される
ことを特徴とするカーテンウォールユニット。
【発明の詳細な説明】
【技術分野】
【０００１】
本発明は、建物の外壁面を構成するカーテンウォールを構成するカーテンウォールユニットに関する。
【背景技術】
【０００２】
従来、カーテンウォールとして、複数の無目と、複数の方立と、複数の無目および方立に囲まれ、無目の断面コ字状部分にのみ込まれて支持されたガラスとを備え、さらに、一部の無目および方立に囲まれた開口部に縦軸回転窓が設置されたものが知られている（特許文献１参照）。
【０００３】
ガラスおよびこれを囲む無目、方立は、固定窓を構成している。この固定窓においては、ガラスと無目、方立との間にアタッチメントなどは介在されず、無目の断面コ字状部分にガラスがのみ込まれて支持されている。
これに対し、縦軸回転窓は、上框、下框および左右の縦框によってガラスを支持して構成された障子と、障子の周縁に設置されるアタッチメントとを備え、当該アタッチメントが窓枠に相当する構成とされ、無目、方立に固定されている。
【先行技術文献】
【特許文献】
【０００４】
【特許文献１】特許第２７６３４５７号公報
【発明の概要】
【発明が解決しようとする課題】
【０００５】
ところで、特許文献１に記載のカーテンウォールでは、無目、方立がガラスを支持する固定窓用の枠体として形成されているため、縦軸回転窓の障子を、前述したアタッチメントを介在させずにそのまま無目、方立に回転可能に取り付けることは困難である。例えば、縦軸回転窓の障子が無目のコ字状部分にのみ込まれて支持される場合には、障子は無目に干渉して回転不能状態となる。
このため、縦軸回転軸のアタッチメントを省くことは困難であり、当該アタッチメント分だけ部品点数が多く、コスト削減を図ることが困難である。
【０００６】
本発明の目的は、固定窓および可動窓の双方を備えるユニットにおいて、部品点数を減らしてコスト削減を図れるカーテンウォールユニットを提供することにある。
【課題を解決するための手段】
【０００７】
本発明のカーテンウォールユニットは、少なくとも第一開口および第二開口を形成する枠体と、前記第一開口に配置される固定障子と、前記第二開口に開閉可能に配置される可動障子とを備えるカーテンウォールユニットであって、前記可動障子は、框材および面材を框組みして構成され、前記枠体は、枠本体と、前記枠本体の室外側に位置する押縁とを備え、前記枠本体は、前記固定障子の室内面および前記可動障子の室内面に対向可能な対向見付け片部を有し、前記押縁は、前記第一開口側に配置される場合には前記固定障子の室外面に当接する押え部材が装着され、前記第二開口側に配置される場合には前記可動障子の框材に当接するシール部材が装着される装着片部を有することを特徴とする。
【０００８】
本発明のカーテンウォールユニットによれば、枠体を構成する枠本体の対向見付け片部が固定障子の室内面に対向するとともに、枠体を構成する押縁の装着片部に装着した押え部材を固定障子の室外面に当接することで、固定障子と枠体自体とによって固定窓を構成できる。これにより、窓枠に相当するアタッチメントなどを枠体内に別途設けることなく固定窓を構成でき、アタッチメントなどの部品点数を減らすことができ、コスト削減を図ることができる。
また、枠体を構成する枠本体の対向見付け片部が可動障子の室内面に対向するとともに、枠体を構成する押縁の装着片部に装着したシール部材を可動障子の框材に当接することで、可動障子と枠体自体とによって可動窓を構成できる。これにより、窓枠に相当するアタッチメントなどを枠体内に別途設けることなく可動窓を構成でき、アタッチメントなどの部品点数を減らすことができ、コスト削減を図ることができる。
さらに、少なくとも二つの開口のうちのいずれか一つを第一開口としても、装着片部を第一開口側に配置して押え部材を装着することで、当該第一開口に固定障子を設置でき、また、少なくとも二つの開口のうちのいずれか他の一つを第二開口としても、装着片部を第二開口側に配置してシール部材を装着することで、当該第二開口に可動障子を設置できる。
【０００９】
本発明のカーテンウォールユニットでは、前記対向見付け片部は、前記固定障子の室内面に当接可能な室内当接部材が取り付けられる取付部と、前記可動障子の室内面に当接可能な当接部とを有し、前記当接部は、前記取付部よりも前記第一開口または前記第二開口の内側に位置し、前記第一開口側に配置される前記装着片部に対して前記押え部材が装着された状態では、前記押え部材は、前記枠体の見込み方向において前記取付部に対向して位置して前記固定障子を前記枠本体との間に保持し、前記第二開口側に配置される前記装着片部に対して前記シール部材が装着された状態では、前記シール部材は、前記装着片部から前記可動障子側に延出して前記可動障子と前記枠体との隙間を埋めるとともに、前記枠体の見込み方向において前記当接部に対向して位置することが好ましい。
このような構成によれば、対向見付け片部の当接部が取付部よりも第一開口または第二開口の内側に位置するため、第二開口側に配置される装着片部に対してシール部材が装着された状態では、装着片部から可動障子側に延出したシール部材は、枠体の見込み方向において当接部に対向して位置する。これにより、可動障子の室内面が対向見付け片部に支えられ、框材がシール部材に当接しても、可動障子が装着片部に干渉することなく開閉動作を行える。このため、枠体内にアタッチメントなどを設けることなく可動障子を開閉可能に簡単に設置でき、また、アタッチメントなどによってサイズ制限されることなく大きな可動障子を設置可能であり、第二開口を大きく形成できる。
また、第一開口側に配置される装着片部に対して押え部材が装着された状態では、押え部材は、枠体の見込み方向において取付部に対向して位置する。このため、押え部材と対向見付け片部の取付部に取り付けられる室内当接部材とによって固定障子を確実に保持できる。
【００１０】
本発明のカーテンウォールユニットでは、前記枠体は、上枠、下枠、無目および左右の縦枠を枠組みして構成され、前記上枠、前記下枠、前記左右の縦枠は、前記枠本体と、前記装着片部を一つ有した前記押縁とをそれぞれ備えて構成され、前記無目は、前記枠本体と、前記装着片部を二つ有した前記押縁とを備えて構成され、前記無目の前記二つの装着片部のうちの一方の装着片部は、前記第一開口側に位置して前記押え部材が装着され、前記無目の前記二つの装着片部のうちの他方の装着片部は、前記第二開口側に位置して前記シール部材が装着されることが好ましい。
このような構成によれば、無目の二つの装着片部のうちの一方の装着片部は、第一開口側に位置して押え部材が装着され、無目の二つの装着片部のうちの他方の装着片部は、第二開口側に位置してシール部材が装着されるため、無目の二つの装着片部を有する一つの押縁によって、第一開口に配置される固定障子に押え部材を当接できるとともに、第二開口に配置される可動障子にシール部材を当接でき、構成の簡略化を図ることができる。
【００１１】
本発明のカーテンウォールユニットでは、前記枠体は、上枠、下枠、縦中骨および左右の縦枠を枠組みして構成され、前記上枠、前記下枠、前記左右の縦枠は、前記枠本体と、前記装着片部を一つ有した前記押縁とをそれぞれ備えて構成され、前記縦中骨は、前記固定障子の室内面および前記可動障子の室外面に対向可能な本体部と、前記固定障子の室外面に当接する前記押え部材と前記可動障子の框材に当接する前記シール部材とを付け替え可能な二つの装着片部とを一体に有して形成され、前記縦中骨の前記二つの装着片部のうちの一方の装着片部は、前記第一開口側に位置して前記押え部材が装着され、前記縦中骨の前記二つの装着片部のうちの他方の装着片部は、前記第二開口側に位置して前記シール部材が装着されることが好ましい。
このような構成によれば、縦中骨の二つの装着片部のうちの一方の装着片部には、第一開口側に位置して押え部材が装着され、縦中骨の二つの装着片部のうちの他方の装着片部には、第二開口側に位置してシール部材が装着されるため、二つの装着片部を有する一つの縦中骨によって、第一開口に配置される固定障子に押え部材を当接できるとともに、第二開口に配置される可動障子にシール部材を当接でき、構成の簡略化を図ることができる。
【発明の効果】
【００１２】
本発明によれば、固定窓および可動窓の双方を備えるユニットにおいて、部品点数を減らしてコスト削減を図れるカーテンウォールユニットを提供できる。
【図面の簡単な説明】
【００１３】
【図１】本発明の第１実施形態に係るカーテンウォールユニットの設置状態を示す外観姿図。
【図２】第１実施形態に係るカーテンウォールユニットの設置状態を示す縦断面図。
【図３】第１実施形態に係るカーテンウォールユニットを示す縦断面図。
【図４】第１実施形態に係るカーテンウォールユニットの固定窓側の要部を示す横断面図。
【図５】第１実施形態に係るカーテンウォールユニットの可動窓側の要部を示す横断面図。
【図６】本発明の第２実施形態に係るカーテンウォールユニットを示す縦断面図。
【図７】本発明の第３実施形態に係るカーテンウォールユニットを示す横断面図。
【図８】第３実施形態に係るカーテンウォールユニットの固定窓側を示す縦断面図。
【図９】第３実施形態に係るカーテンウォールユニットを可動窓側を示す縦断面図。
【発明を実施するための形態】
【００１４】
［第１実施形態］
以下、本発明の第１実施形態を図面に基づいて説明する。
図１，２は、カーテンウォール１を備えた建物２を示している。建物２は、梁３と、梁３で支持される床スラブ４とを備えている。床スラブ４の下部には吊り天井５が設置されている。床スラブ４の室外側には複数の外壁材６が設けられている。
カーテンウォール１は、複数の外壁材６間に配置され、床スラブ４に吊られて連結された第１実施形態に係るカーテンウォールユニット１０が複数並設されることによって構成されている。
【００１５】
図３〜５において、カーテンウォールユニット１０は、枠体２０と、固定障子３０と、可動障子４０とを備える段窓によって構成されている。
枠体２０は、アルミ押出形材によって形成された上枠２１、下枠２２、無目２３（中枠）および左右の縦枠２４を枠組みして構成されている。上枠２１、無目２３および左右の縦枠２４は、上側の開口２５（第一開口）を形成しており、下枠２２、無目２３および左右の縦枠２４は、下側の開口２６（第二開口）を形成している。
本実施形態では、固定障子３０は上側の開口２５に配置されており、可動障子４０は下側の開口２６に開閉可能に配置されている。
【００１６】
上枠２１は、図３に示すように、上枠本体２１０（枠本体）と、押縁２１１とを備えて構成されている。上枠本体２１０は、室外側見付け片部２１２（対向見付け片部）、外側見込み片部２１３、内側見込み片部２１４、室内側見付け片部２１５および係合片部２１６を有して形成されている。
【００１７】
室外側見付け片部２１２は、固定障子３０の室内面に対向する対向部２１２Ａを有しており、対向部２１２Ａは、固定障子３０の室内面に当接する室内当接部材であるバックアップ材１８が取り付けられる取付部である突起２１２Ｂと、内側見込み片部２１４から上枠２１の見付け方向において開口２５の内側（下方）に延出した当接部である延出片部２１２Ｃとを有している。
外側見込み片部２１３は、上枠２１の見付け方向において開口２５の内側に凹状に形成された凹部２１３Ａが設けられている。凹部２１３Ａの室外側部分には、一つのヒレ部を有した水密材１１（シール材）を装着した装着部２１３Ｂが形成されており、凹部２１３Ａの室内側部分には、気密材１２を装着した装着部２１３Ｃが形成されている。
係合片部２１６は、室外側見付け片部２１２から室外側に延出して形成されている。係合片部２１６は、二つの鉤状の係合部２１６Ａを有している。
【００１８】
押縁２１１は、係合片部２１７と、装着片部２１８とを有して断面略Ｌ字状に形成されている。係合片部２１７は、上枠２１の見込み方向に沿って配置されており、前述した二つの係合部２１６Ａに係合可能な二つの鉤状の係合部２１７Ａを有している。装着片部２１８は、係合片部２１７から上枠２１の見付け方向において開口２５の内側（下方）に沿って配置されており、下方先端には、装着部２１８Ａが形成されている。押縁２１１の装着部２１８Ａには、押え部材であるガスケット１３（グレイジングガスケット）が装着されている。
押縁２１１の装着部２１８Ａおよびガスケット１３は、上枠２１の見込み方向において上枠本体２１０の対向部２１２Ａの突起２１２Ｂの位置（第一対向位置）に対向して位置している。
なお、装着部２１８Ａは、ガスケット１３の代わりに、ヒレ部を有した水密材１４（シール部材）を装着可能に構成されている。装着部２１８Ａに水密材１４が装着された場合には、水密材１４のヒレ部は、装着部２１８Ａから開口２５側に向かって下方に延出して位置するとともに、上枠２１の見込み方向において前述した第一対向位置よりも開口２５の内側に位置する延出片部２１２Ｃの位置（第二対向位置）に対向して位置する。
【００１９】
下枠２２は、図３に示すように、下枠本体２２０（枠本体）と、押縁２２１とを備えて構成されている。下枠本体２２０および押縁２２１は、上枠本体２１０および押縁２１１と同様に形成されて上下逆向きに配置されている。本実施形態では、押縁２２１の装着部２１８Ａには、前述した水密材１４が装着されている。
【００２０】
無目２３は、無目本体２３０（枠本体）と、押縁２３１とを備えて構成されている。
無目本体２３０は、室外側見付け片部２３２（対向見付け片部）、上側見込み片部２３３、下側見込み片部２３４、室内側見付け片部２３５および係合片部２３６を有して形成されている。
【００２１】
室外側見付け片部２３２は、開口２５側に位置して固定障子３０の室内面に対向する対向部２３２Ａと、開口２６側に位置して可動障子４０の室内面に対向する対向部２３２Ｂとを有して形成されている。
対向部２３２Ａは、固定障子３０の室内面に当接するバックアップ材１８（室内当接部材）が取り付けられる突起２３２Ｃ（取付部）と、上側見込み片部２３３から無目２３の見付け方向上側に延出した延出片部２３２Ｄ（当接部）とを有している。
対向部２３２Ｂは、バックアップ材１８（室内当接部材）が取付可能な突起２３２Ｅ（取付部）と、上側見込み片部２３３から無目２３の見付け方向下側に延出した延出片部２３２Ｆ（当接部）とを有している。
係合片部２３６は、室外側見付け片部２３２から室外側に延出して形成されている。係合片部２３６は、二つの鉤状の係合部２３６Ａを有している。
【００２２】
押縁２３１は、係合片部２３７と、装着片部２３８，２３９とを有して断面略Ｔ字状に形成されている。係合片部２３７は、無目２３の見込み方向に沿って配置されており、前述した二つの係合部２３６Ａに係合可能な二つの鉤状の係合部２３７Ａを有している。
【００２３】
装着片部２３８は、係合片部２３７から無目２３の見付け方向に沿って上側に配置されており、上方先端には、装着部２３８Ａが形成されている。装着部２３８Ａには、ガスケット１３が装着されている。装着部２３８Ａおよびガスケット１３は、無目２３の見込み方向において無目本体２３０の対向部２３２Ａの突起２３２Ｃの位置（第一対向位置）に対向して位置している。
なお、装着部２３８Ａは、ガスケット１３の代わりに、水密材１４を装着可能に構成されている。装着部２３８Ａに水密材１４が装着された場合には、水密材１４のヒレ部は、装着部２３８Ａから開口２５側に向かって上方に延出して位置するとともに、無目２３の見込み方向において前述した第一対向位置よりも開口２５の内側に位置する延出片部２３２Ｄの位置（第二対向位置）に対向して位置する。
【００２４】
装着片部２３９は、係合片部２３７から無目の見付け方向に沿って下側に配置されている。下方先端には、装着部２３９Ａが形成されている。装着部２３９Ａには、水密材１４が装着されている。この水密材１４のヒレ部は、無目２３の見込み方向において装着部２３９Ａから下方に延出しており、無目本体２３０の対向部２３２Ｂの延出片部２３２Ｆの位置（第二対向位置）に対向して位置している。
なお、装着部２３９Ａは、水密材１４の代わりに、ガスケット１３を装着可能に構成されている。装着部２３９Ａにガスケット１３が装着された場合には、装着部２３９Ａおよびガスケット１３は、無目２３の見込み方向において無目本体２３０の対向部２３２Ｂの突起２３２Ｅの位置（第一対向位置）に対向して位置する。
【００２５】
図１において右側の縦枠２４は、図４，５に示すように、縦枠本体２４０（枠本体）と、押縁２４１（２４１Ａ，２４１Ｂ）とを備えて構成されている。
縦枠本体２４０は、室外側見付け片部２４２（対向見付け片部）、縦枠見込み片部２４３、室内側見付け片部２４４および係合片部２４６を有している。
【００２６】
室外側見付け片部２４２は、固定障子３０の室内面および可動障子４０に対向する対向部２４２Ａを有しており、対向部２４２Ａは、固定障子３０の室内面に当接するバックアップ材１８（室内当接部材）が取り付けられる突起２４２Ｂ（取付部）と、縦枠見込み片部２４３から縦枠２４の見付け方向において開口２５，２６の内側に延出した延出片部２４２Ｃ（当接部）とを有している。
縦枠見込み片部２４３には、二つのヒレ部を有した水密材１５（シール材）を装着した装着部２４３Ａと、気密材１２を装着した装着部２４３Ｂとが形成されている。
係合片部２４６は、室外側見付け片部２４２から室外側に延出して形成されている。係合片部２４６は、二つの鉤状の係合部２４６Ａを有している。
【００２７】
押縁２４１は、係合片部２４７と、装着片部２４８とを有して断面略Ｌ字状に形成されている。係合片部２４７は、縦枠２４の見込み方向に沿って配置されており、前述した二つの係合部２４６Ａに係合可能な二つの鉤状の係合部２４７Ａを有している。装着片部２４８は、係合片部２４７から縦枠２４の見付け方向に沿って配置されており、見付け方向における先端には、装着部２４８Ａが形成されている。
【００２８】
開口２５を形成する押縁２４１Ａの装着部２４８Ａには、ガスケット１３が装着されている（図４参照）。押縁２４１Ａの装着部２４８Ａおよびガスケット１３は、縦枠２４の見込み方向において縦枠本体２４０の対向部２４２Ａの突起２４２Ｂの位置（第一対向位置）に対向して位置している。
なお、押縁２４１Ａの装着部２４８Ａは、ガスケット１３の代わりに、水密材１４を装着可能に構成されている。押縁２４１Ａの装着部２４８Ａに水密材１４が装着された場合には、水密材１４のヒレ部は、当該装着部２４８Ａから開口２５側に向かって延出して位置するとともに、縦枠２４の見込み方向において第一対向位置よりも開口２５の内側に位置する延出片部２４２Ｃの位置（第二対向位置）に対向して位置する。
【００２９】
開口２６を形成する押縁２４１Ｂの装着部２４８Ａには、水密材１４が装着されている（図５参照）。この水密材１４のヒレ部は、装着部２４８Ａから開口２６の内側に延出しており、縦枠２４の見込み方向において縦枠本体２４０の対向部２４２Ａの延出片部２４２Ｃの位置（第二対向位置）に対向して位置している。
なお、押縁２４１Ｂの装着部２４８Ａは、水密材１４の代わりに、ガスケット１３を装着可能に構成されている。押縁２４１Ｂの装着部２４８Ａにガスケット１３が装着された場合には、押縁２４１Ｂの装着部２４８Ａおよびガスケット１３は、縦枠２４の見込み方向において縦枠本体２４０の対向部２４２Ａの突起２４２Ｂの位置（第一対向位置）に対向して位置する。
【００３０】
なお、図１において左側の縦枠２４は、右側の縦枠と同様に形成されて左右逆向きに配置されているので、その詳細な説明を省略する。
【００３１】
固定障子３０は、二枚の矩形状の壁面用のガラス板３１の対向周縁部を、スペーサ１６を介して相互に接着して形成された複層のガラスパネルによって構成されている。隙間を隔てて重ね合された二枚のガラス板３１間であってスペーサ１６の外周側部分には湿式のシール材１７が施工されている。
【００３２】
固定障子３０の上側縁部は、図３に示すように、上枠本体２１０および押縁２１１間に配置されている。室外側見付け片部２１２の対向部２１２Ａおよび固定障子３０間には、バックアップ材１８およびシール材１７が配置されている。押縁２１１の装着片部２１８および固定障子３０間には、ガスケット１３が配置されている。この固定障子３０の上側縁部は、見込み方向においてバックアップ材１８およびシール材１７とガスケット１３とに挟まれて保持されている。
【００３３】
固定障子３０の下側縁部は、図３に示すように、無目本体２３０および押縁２３１間に配置されている。室外側見付け片部２３２の対向部２３２Ａおよび固定障子３０間には、バックアップ材１８およびシール材１７が施工されている。押縁２３１の装着片部２３８および固定障子３０間には、ガスケット１３が配置されている。この固定障子の下側縁部は、見込み方向においてバックアップ材１８およびシール材１７とガスケット１３とに挟まれて保持されている。
なお、固定障子３０の下側縁部は、無目本体２３０の係合片部２３６上のセッティングブロック１９に載置されている。
【００３４】
固定障子３０の図１において右側に位置する右側縁部は、図４に示すように、縦枠本体２４０および押縁２４１Ａ間に配置されている。室外側見付け片部２４２の対向部２４２Ａおよび固定障子３０間には、バックアップ材１８およびシール材１７が配置されている。押縁２４１Ａの装着片部２４８および固定障子３０間には、ガスケット１３が配置されている。この固定障子３０の右側縁部は、見込み方向においてバックアップ材１８およびシール材１７とガスケット１３とに挟まれて保持されている。
なお、固定障子３０の図１において左側に位置する左側縁部は、前述した右側縁部と同様に縦枠本体２４０および押縁２４１Ａ間に配置されて保持されている。
【００３５】
可動障子４０は、框材である上框４１、下框４２および左右の縦框４３並びに面材４４を框組みして構成されている。
上框４１、下框４２および左右の縦框４３は、同一のアルミ押出形材を所定長さ寸法に切断して同一断面形状に形成されている。従って、以下、図１において右側の縦框４３について詳細に説明し、上框４１、下框４２および図１において左側の縦框４３については同符号を適宜付して詳細な説明を省略する。なお、上框４１および下框４２は互いに上下逆向きに配置され、左側の縦框４３は右側の縦框４３と左右逆向きに配置されている。
【００３６】
図１において右側の縦框４３は、図５に示すように、框本体４３０と、押縁４３１とを備えて構成されている。
框本体４３０は、押縁４３１に係合する係合溝形成部４３２が室外側部分に形成されるとともに、室内側部分に気密材４３３が装着された框見込み部４３４と、框見込み部４３４に連続する室内側見付け片部４３５と、室内側見付け片部４３５の見付け方向内側から室内側に延出した延出部４３６とを有して形成されている。
【００３７】
押縁４３１は、係合片部４３７と、装着片部４３８とを有して形成されている。係合片部４３７は、縦框４３の見込み方向に沿って配置されており、係合溝形成部４３２に係合している。装着片部４３８は、係合片部４３７から縦框４３の見付け方向に沿って面材４４の内側に配置されている。
【００３８】
面材４４は、二枚の矩形状の壁面用のガラス板４５の対向周縁部を、スペーサ１６を介して相互に接着して形成された複層のガラスパネルによって構成されている。隙間を隔てて重ね合された二枚のガラス板３１間であってスペーサ１６の外周側部分には湿式のシール材１７が施工されている。
【００３９】
面材４４の図１において右側に位置する右側縁部は、框本体４３０および押縁４３１間に配置されている。室内側見付け片部４３５および面材４４間には、バックアップ材１８およびシール材１７が配置されている。また、押縁４３１の装着片部４３８および面材４４間にも、バックアップ材１８およびシール材１７が配置されている。
なお、面材４４の上側縁部、下側縁部および図１において左側に位置する左側縁部も、前述した右側縁部と同様に配置されている。
また、面材４４の下側縁部は、下框４２の框見込み部４３４上のセッティングブロック１９に載置されている。
【００４０】
この可動障子４０は、図１において右側に位置する縦框４３が丁番（図示省略）を介して同右側に位置する縦枠２４に連結されて外開き可能に構成されている。
可動障子４０の閉鎖状態では、上框４１、下框４２および左右の縦框４３の各框見込み部４３４は、無目２３、下枠２２および左右の縦枠２４の各装着片部２３９，２１８，２４８に装着された各水密材１４のヒレ部先端に当接している。また、上框４１、下框４２および左右の縦框４３の各気密材４３３は、無目２３、下枠２２および左右の縦枠２４の各延出片部２３２Ｆ，２１２Ｃ，２４２Ｃに当接している。このように可動障子４０の閉鎖状態では、各水密材１４，各気密材４３３によって水密性、気密性が向上されている。
【００４１】
［第１実施形態の施工］
以下、本実施形態に係るカーテンウォールユニット１０の施工手順について説明する。
先ず、上枠本体２１０、下枠本体２２０、無目本体２３０、左右の縦枠本体２４０を枠組みしたものを準備する。上枠本体２１０の室外側見付け片部２１２、無目本体２３０の室外側見付け片部２３２および左右の縦枠本体２４０の室外側見付け片部２４２には、バックアップ材１８が装着された状態とする。
【００４２】
次に、可動障子４０を開口２６に配置し、丁番を介して縦枠２４に連結する。他方、固定障子３０を開口２５に配置して当該固定障子３０の室内面を各バックアップ材１８に当接する。つづいて、各押縁２１１，２２１，２３１，２４１Ａ，２４１Ｂを上枠本体２１０、下枠本体２２０、無目本体２３０および左右の縦枠本体２４０にそれぞれ係合する。この係合により、押縁２１１，２３１，２４１Ａに装着されたガスケット１３は固定障子３０の室外面に当接する。また、可動障子４０の各気密材４３３が下枠本体２２０、無目本体２３０および左右の縦枠本体２４０に当接した状態で、押縁２２１，２３１，２４１に装着された水密材１４のヒレ部先端は、可動障子４０にそれぞれ当接する。そして、前述した各バックアップ材１８の内側にシール材１７を施工する。
【００４３】
このようにしてカーテンウォールユニット１０を構成する。カーテンウォールユニット１０においては、固定障子３０と上枠２１、無目２３および左右の縦枠２４とによって固定窓が構成され、可動障子４０と無目２３、下枠２２および左右の縦枠２４とによって可動窓が構成される。固定障子３０および枠体２０間と可動障子４０および枠体２０間とには、窓枠に相当するアタッチメントなどは介在されず、枠体２０自体が窓枠に相当する構成とされる。
なお、カーテンウォールユニット１０は複数形成され、複数の外壁材６間にそれぞれ設置されることでカーテンウォール１を形成する。
【００４４】
［第１実施形態の効果］
（１）枠体２０を構成する各枠本体２１０，２３０，２４０の対向部２１２Ａ，２３２Ａ，２４２Ａが固定障子３０の室内面に対向するとともに、枠体２０を構成する各押縁２１１，２３１，２４１の装着片部２１８，２３８，２４８に装着したガスケット１３が固定障子３０の室外面に当接することで、固定障子３０と枠体２０自体とによって固定窓を構成できる。これにより、窓枠に相当するアタッチメントなどを枠体２０内に別途設けることなく固定窓を構成でき、アタッチメントなどの部品点数を減らすことができ、コスト削減を図ることができる。
また、枠体２０を構成する各枠本体２２０，２３０，２４０の対向部２１２Ａ，２３２Ｂ，２４２Ａが可動障子４０の室内面に対向するとともに、枠体２０を構成する各押縁２２１，２３１，２４１の装着片部２１８，２３９，２４８に装着した水密材１４のヒレ部先端が可動障子４０の各框材４１，４２，４３に当接することで、可動障子４０と枠体２０自体とによって可動窓を構成できる。これにより、窓枠に相当するアタッチメントなどを枠体２０内に別途設けることなく可動窓を構成でき、アタッチメントなどの部品点数を減らすことができ、コスト削減を図ることができる。
さらに、ガスケット１３と水密材１４との付け替えによって開口２５に可動障子４０を設置し、開口２６に固定障子３０を設置することができる。つまり、押縁２１１の装着片部２１８、押縁２３１の装着片部２３８および押縁２４１Ａの装着片部２４８に装着されたガスケット１３を取り外して水密材１４を装着することで、開口２５に可動障子４０を開閉可能に設置できる。また、押縁２３１の装着片部２３９、押縁２２１の装着片部２１８および押縁２４１の装着片部２４８に装着された水密材１４を取り外してガスケット１３を装着することで、開口２６に固定障子３０を設置できる。
（２）各枠本体２２０，２３０，２４０の延出片部２１２Ｃ，２３２Ｆ，２４２Ｃが、各枠本体２２０，２３０，２４０の突起２１２Ｂ，２３２Ｅ，２４２Ｂよりも開口２６の内側に位置している。これにより、閉鎖位置にある可動障子４０の室内面が各枠本体２２０，２３０，２４０の延出片部２１２Ｃ，２３２Ｆ，２４２Ｃに当接し、各框材４１，４２，４３が水密材１４に当接しても、可動障子４０が上記装着片部２１８，２３９，２４８に干渉することなく開閉動作を行える。このため、枠体２０内にアタッチメントなどを設けることなく可動障子４０を開閉可能に簡単に設置でき、また、アタッチメントなどによってサイズ制限されることなく大きく形成された可動障子４０を設置可能であり、開口２６を大きく形成できる。
また、各枠本体２１０，２３０，２４０の突起２１２Ｂ，２３２Ｃ，２４２Ｂが、各枠本体２１０，２３０，２４０の延出片部２１２Ｃ，２３２Ｄ，２４２Ｃよりも開口２５の外側に位置している。これにより、ガスケット１３と各枠本体２１０，２３０，２４０の突起２１２Ｂ，２３２Ｃ，２４２Ｂに取り付けられたバックアップ材１８とによって固定障子３０を確実に保持できる。
（３）無目２３の押縁２３１の上側の装着片部２３８は、装着片部２３９に対して開口２５側に位置してガスケット１３が装着され、押縁２３１の下側の装着片部２３９は、装着片部２３８に対して開口２６側に位置して水密材１４が装着されるため、一つの押縁２３１によって、開口２５に配置される固定障子３０にガスケット１３を当接できるとともに、開口２６に配置される可動障子４０に水密材１４を当接できるので、構成の簡略化を図ることができる。
【００４５】
［第２実施形態］
以下、本発明の第２実施形態に係るカーテンウォールユニット１０Ａを、図６を参照して説明する。
カーテンウォールユニット１０Ａの各部材の構成は、第１実施形態に係るカーテンウォールユニット１０と共通であるが、上側の開口２５に可動障子４０が配置され、下側の開口２６に固定障子３０が配置されている点で相違する。
この場合、押縁２１１，２３１，２４１Ａの装着片部２１８，２３８，２４８には、水密材１４が装着されているとともに、押縁２２１，２３１，２４１Ｂの装着片部２１８，２３９，２４８には、ガスケット１３が装着されている。
【００４６】
第２実施形態に係るカーテンウォールユニット１０Ａによれば、第１実施形態に係るカーテンウォールユニット１０と同様の作用効果を発揮できる。
また、カーテンウォールユニット１０，１０Ａは、上枠本体２１０、下枠本体２２０、無目本体２３０および左右の縦枠本体２４０が固定障子３０および可動障子４０の室内面に当接可能に構成され、押縁２１１，２２１，２３１，２４１がガスケット１３と水密材１４とを付け替え可能な装着片部２１８，２３８，２３９，２４８を有して構成されるため、ガスケット１３と水密材１４とを付け替えるだけで、開口２５，２６のいずれにも固定障子３０を設置でき、また、開口２５，２６のいずれにも可動障子４０を設置できる。
【００４７】
［第３実施形態］
以下、本発明の第３実施形態に係るカーテンウォールユニット１０Ｂを、図７〜９を参照して説明する。
カーテンウォールユニット１０Ｂは、第１実施形態に係るカーテンウォールユニット１０の無目２３の構成を省く代わりに、縦中骨２７（中枠）を備えた連窓として構成されている。図７において右側に開口２５Ａ（第一開口）が形成され、左側に開口２６Ａ（第二開口）が形成されている。開口２５Ａには固定障子３０が取り付けられ、開口２６Ａには可動障子４０が取り付けられている。また、各押縁２４１は、図８，９に示すように、押縁２４１Ａ，２４１Ｂに分断されずに一本の通し材として構成されている。
【００４８】
縦中骨２７は、本体部２７０と、ガスケット１３および水密材１４を装着可能な装着片部２７８，２７９とを一体に有して形成されている。
本体部２７０は、室外側見付け片部２７２（対向見付け片部）、右側見込み片部２７３、左側見込み片部２７４、室内側見付け片部２７５および連続片部２７６を有して形成されている。
室外側見付け片部２７２は、開口２５Ａ側に位置して固定障子３０の室内面に対向する対向部２７２Ａと、開口２６Ａ側に位置して可動障子４０の室内面に対向する対向部２７２Ｂとを有して形成されている。
対向部２７２Ａは、固定障子３０の室内面に当接するバックアップ材１８（室内当接部材）が取り付けられる突起２７２Ｃ（取付部）と、右側見込み片部２７３から開口２５Ａの内側に延出した延出片部２７２Ｄ（当接部）とを有している。延出片部２７２Ｄおよび固定障子３０間にはシール材１７が施工されている。
対向部２７２Ｂは、バックアップ材１８（室内当接部材）が取付可能な突起２７２Ｅ（取付部）と、左側見込み片部２７４から開口２６Ａの内側に延出した延出片部２７２Ｆ（当接部）とを有している。延出片部２７２Ｆには、閉鎖位置にある可動障子４０の気密材４３３が当接している。
連続片部２７６は、室外側見付け片部２７２から室外側に延びて形成されており、その室外側先端に装着片部２７８，２７９が形成されている。
【００４９】
装着片部２７８は、縦中骨２７の見付け方向に沿って開口２５Ａ側に配置されており、その開口２５Ａ側先端には、ガスケット１３を装着した装着部２７８Ａが形成されている。装着部２７８Ａに装着されたガスケット１３は、縦中骨２７の見込み方向において突起２７２Ｃと対向して位置しているとともに、固定障子３０の室外面に当接している。
なお、装着部２７８Ａは、ガスケット１３に代えて水密材１４が装着可能に構成されている。装着部２７８Ａに水密材１４が装着された場合には、この水密材１４のヒレ部は、縦中骨２７の見込み方向において延出片部２７２Ｄと対向して位置する。
【００５０】
装着片部２７９は、縦中骨２７の見付け方向に沿って開口２６Ａ側に配置されており、その開口２６Ａ側先端には、水密材１４を装着した装着部２７９Ａが形成されている。装着部２７９Ａに装着された水密材１４のヒレ部は、縦中骨２７の見込み方向において延出片部２７２Ｆに対向して位置しているとともに、可動障子４０の縦框４３に当接している。
なお、装着部２７９Ａは、水密材１４に代えてガスケット１３が装着可能に構成されている。装着部２７９Ａにガスケット１３が装着された場合には、このガスケット１３は、縦中骨２７の見込み方向において突起２７２Ｅと対向して位置する。
【００５１】
前述したカーテンウォールユニット１０Ｂでは、開口２５Ａに固定障子３０が取り付けられ、開口２６Ａに可動障子４０が取り付けられているが、押縁２１１，２２１，２４１の装着片部２１８，２４８および縦中骨２７の装着片部２７８，２７９に装着するガスケット１３、水密材１４を適宜付け替えることによって、開口２５Ａに可動障子４０を設置し、開口２６Ａに固定障子３０を設置することができる。従って、開口２５Ａ，２６Ａのいずれにも固定障子３０、可動障子４０を設置できる。
【００５２】
第３実施形態に係るカーテンウォールユニット１０Ｂによれば、第１、第２実施形態に係るカーテンウォールユニット１０，１０Ａと同様の作用効果を発揮できる。
【００５３】
［変形例］
本発明は、以上の実施形態で説明した構成のものに限定されず、本発明の目的を達成できる範囲での変形例は、本発明に含まれる。
例えば、前記実施形態では、枠体２０および可動障子４０によって構成される可動窓は外開き窓であるが、これに限定されず、例えば、外倒し窓、突出し窓、すべり出し窓とされてもよい。
また、固定障子３０および面材４４は、複層のガラスパネルによって構成されているが、これに限定されず、例えば、単板のガラスパネル、金属パネル、金属樹脂複合パネルとされてもよい。
また、可動障子４０に組み込まれる面材４４は、バックアップ材１８およびシール材１７によって保持されているが、これに限定されず、ガスケットによって保持されてもよい。
【００５４】
前記実施形態では、枠体２０は、二つの開口２５（２５Ａ），２６（２６Ａ）を形成しているが、これに限定されず、三つ以上の開口を形成してもよい。例えば中枠としての無目２３および縦中骨２７の双方を備えて枠体２０を構成し、各開口に固定障子３０、可動障子４０を適宜選択して設置してもよい。
【００５５】
第１、第２実施形態では、無目本体２３０に係合する一つの押縁２３１を備えて構成されているが、これに限定されず、例えば、無目本体２３０に係合する二つの押縁を備えて構成されていてもよい。この場合、二つの押縁のうちの一方の押縁が、無目本体２３０に係合する係合片部と、装着片部２３８とを有して形成され、二つの押縁のうちの他方の押縁が、無目本体２３０に係合する係合片部と、装着片部２３９とを有して形成されていてもよい。
【００５６】
第１、第２実施形態では、押縁２３１が無目本体２３０と別体で形成されているが、これに限定されず、押縁２３１と無目本体２３０とが一体に形成されて無目２３を構成してもよい。また、上枠本体２１０および押縁２１１が一体に形成され、下枠本体２２０と押縁２２１が一体に形成されてもよい。さらに、左右一方の縦枠本体２４０および押縁２４１が一体に形成され、左右他方の縦枠本体２４０および押縁２４１が一体に形成されてもよい。
【００５７】
第３実施形態では、本体部２７０と装着片部２７８，２７９が一体に形成されて縦中骨２７を構成しているが、これに限定されず、例えば、連続片部２７６に代えて係合片部を有した本体部２７０と、装着片部２７８，２７９および係合片部を有した押縁とによって縦中骨２７を構成してもよい。
【符号の説明】
【００５８】
１…カーテンウォール、２…建物、３…梁、４…床スラブ、５…吊り天井、６…外壁材、１０，１０Ａ，１０Ｂ…カーテンウォールユニット、１１，１４，１５…水密材、１２，４３３…気密材、１３…ガスケット、１６…スペーサ、１７…シール材、１８…バックアップ材、１９…セッティングブロック、２０…枠体、２１…上枠、２２…下枠、２３…無目、２４…縦枠、２５，２５Ａ，２６，２６Ａ…開口、２７…縦中骨、３０…固定障子、３１，４５…ガラス板、４０…可動障子、４１…上框、４２…下框、４３…縦框、４４…面材、２１０…上枠本体（枠本体）、２１１，２２１，２３１，２４１，２４１Ａ，２４１Ｂ，４３１…押縁、２１２，２３２，２４２，２７２…室外側見付け片部（対向見付け片部）、２１２Ａ，２３２Ａ，２３２Ｂ，２４２Ａ，２７２Ａ，２７２Ｂ…対向部、２１２Ｂ，２３２Ｃ，２３２Ｅ，２４２Ｂ，２７２Ｃ，２７２Ｅ…突起（取付部）、２１２Ｃ，２３２Ｄ，２３２Ｆ，２４２Ｃ，２７２Ｄ，２７２Ｆ…延出片部（当接部）、２１３…外側見込み片部、２１３Ａ…凹部、２１３Ｂ，２１３Ｃ，２１８Ａ，２３８Ａ，２３９Ａ，２４３Ａ，２４３Ｂ，２４８Ａ，２７８Ａ，２７９Ａ…装着部、２１４…内側見込み片部、２１５，２３５，２４４，２７５，４３５…室内側見付け片部、２１６，２１７，２３６，２３７，２４６，２４７，４３７…係合片部、２１６Ａ，２１７Ａ，２３６Ａ，２３７Ａ，２４６Ａ，２４７Ａ…係合部、２１８，２３８，２３９，２４８，２７８，２７９，４３８…装着片部、２２０…下枠本体（枠本体）、２３０…無目本体（枠本体）、２３３…上側見込み片部、２３４…下側見込み片部、２４０…縦枠本体（枠本体）、２４３…縦枠見込み片部、２７０…本体部、２７３…右側見込み片部、２７４…左側見込み片部、２７６…連続片部、４３０…框本体、４３２…係合溝形成部、４３４…框見込み部、４３６…延出部。
【図１】
0006386358.tif 000002
【図２】
0006386358.tif 000003
【図３】
0006386358.tif 000004
【図４】
0006386358.tif 000005
【図５】
0006386358.tif 000006
【図６】
0006386358.tif 000007
【図７】
0006386358.tif 000008
【図８】
0006386358.tif 000009
【図９】
0006386358.tif 000010